【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
光源手段と、前記光源手段から出射された光束を偏向する偏向手段と、前記偏向手段にて偏向された光束を被走査面上に結像させる走査光学系と、前記偏向手段にて偏向された光束を前記走査光学系の光学面を通過させることなく同期検知手段に導く同期検知光学系と、を有する走査光学装置において、
前記光源手段から出射された光束は、副走査断面内において前記偏向手段の回転軸に垂直な面に対し斜めに前記偏向手段の偏向面に入射しており、
前記同期検知光学系の光軸と前記走査光学系の光軸は異なっており、
前記同期検知光学系は、主走査方向と副走査方向のパワーが異なる光学素子を有し、前記光学素子の光学面の子線を含む副走査断面が前記偏向手段の回転軸に対して平行であり、且つ、前記光学素子の光学面の光軸は、主走査断面内において前記同期検知手段に入射している光束の主光線と一致していることを特徴とする走査光学装置。
【請求項２】
光源手段と、前記光源手段から出射された光束を偏向する偏向手段と、前記偏向手段にて偏向された光束を被走査面上に結像させる走査光学系と、前記偏向手段にて偏向された光束を前記走査光学系の光学面を通過させることなく同期検知手段に導く同期検知光学系と、を有する走査光学装置において、
前記光源手段から出射された光束は、副走査断面内において前記偏向手段の回転軸に垂直な面に対し斜めに前記偏向手段の偏向面に入射しており、
前記同期検知光学系の光軸と前記走査光学系の光軸は異なっており、
前記同期検知光学系は、前記同期検知光学系の光軸に対して回転対称な光学面により構成され、前記同期検知光学系の光軸は、主走査断面内において前記同期検知手段に入射している光束の主光線と一致していることを特徴とする走査光学装置。
【請求項３】
光源手段と、前記光源手段から出射された光束を偏向する偏向手段と、前記偏向手段にて偏向された光束を被走査面上に結像させる走査光学系と、前記走査光学系を構成する第１の同期検知光学素子と、前記走査光学系と分離された第２の同期検知光学素子と、前記偏向手段にて偏向された光束を前記第１の同期検知光学素子と前記第２の同期検知光学素子を介して同期検知手段に導く同期検知光学系と、を有する走査光学装置において、
前記光源手段から出射された光束は、副走査断面内において前記偏向手段の回転軸に垂直な面に対し斜めに前記偏向手段の偏向面に入射しており、
前記第１の同期検知光学素子の光軸と前記第２の同期検知光学素子の光軸は異なっており、
主走査断面に投影した場合、前記同期検知手段に入射する光束が通過する前記第１の同期検知光学素子の光学面の法線と前記同期検知手段に入射する光束が通過する前記第２の同期検知光学素子の光学面の法線は、前記同期検知手段に入射する光束の主光線に対して互いに逆方向に傾いていることを特徴とする走査光学装置。
【請求項４】
前記光源手段は、複数の光束を出射する請求項１乃至３の何れか一項記載の走査光学装置。
【請求項５】
請求項１乃至４の何れか一項に記載の走査光学装置と、前記被走査面に配置された感光体と、前記走査光学系で走査された光束によって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項６】
請求項１乃至４の何れか一項に記載の走査光学装置を複数個有し、前記複数個の走査光学装置に対応した被走査面の夫々に配置された複数の感光体と、前記走査光学系で走査された光束によって前記各感光体上に形成された静電潜像をトナー像として現像する現像器と、各現像器で現像されたトナー像を被転写材に転写する転写器と、各転写器で転写されたトナー像を被転写材に定着させる定着器とを有することを特徴とする画像形成装置。
【請求項７】
前記複数の走査光学装置の夫々の光源手段は、複数の光束を出射する請求項６記載の画像形成装置。
【請求項８】
請求項１乃至７の何れか１項に記載の走査光学装置と、外部機器から入力したコードデータを画像信号に変換して前記走査光学装置に入力せしめるプリンタコントローラとを有していることを特徴とする画像形成装置。
【手続補正２】
【補正対象書類名】明細書
【補正対象項目名】００２４
【補正方法】変更
【補正の内容】
【００２４】
本発明の請求項１では、光源手段と、前記光源手段から出射された光束を偏向する偏向手段と、前記偏向手段にて偏向された光束を被走査面上に結像させる走査光学系と、前記偏向手段にて偏向された光束を前記走査光学系の光学面を通過させることなく同期検知手段に導く同期検知光学系と、を有する走査光学装置において、
前記光源手段から出射された光束は、副走査断面内において前記偏向手段の回転軸に垂直な面に対し斜めに前記偏向手段の偏向面に入射しており、
前記同期検知光学系の光軸と前記走査光学系の光軸は異なっており、
前記同期検知光学系は、主走査方向と副走査方向のパワーが異なる光学素子を有し、前記光学素子の光学面の子線を含む副走査断面が前記偏向手段の回転軸に対して平行であり、且つ、前記光学素子の光学面の光軸は、主走査断面内において前記同期検知手段に入射している光束の主光線と一致している構成としている。
【手続補正３】
【補正対象書類名】明細書
【補正対象項目名】００２５
【補正方法】変更
【補正の内容】
【００２５】
本発明の請求項２では、光源手段と、前記光源手段から出射された光束を偏向する偏向手段と、前記偏向手段にて偏向された光束を被走査面上に結像させる走査光学系と、前記偏向手段にて偏向された光束を前記走査光学系の光学面を通過させることなく同期検知手段に導く同期検知光学系と、を有する走査光学装置において、
前記光源手段から出射された光束は、副走査断面内において前記偏向手段の回転軸に垂直な面に対し斜めに前記偏向手段の偏向面に入射しており、
前記同期検知光学系の光軸と前記走査光学系の光軸は異なっており、
前記同期検知光学系は、前記同期検知光学系の光軸に対して回転対称な光学面により構成され、前記同期検知光学系の光軸は、主走査断面内において前記同期検知手段に入射している光束の主光線と一致している構成としている。
【手続補正４】
【補正対象書類名】明細書
【補正対象項目名】００２６
【補正方法】変更
【補正の内容】
【００２６】
本発明の請求項３では、光源手段と、前記光源手段から出射された光束を偏向する偏向手段と、前記偏向手段にて偏向された光束を被走査面上に結像させる走査光学系と、前記走査光学系を構成する第１の同期検知光学素子と、前記走査光学系と分離された第２の同期検知光学素子と、前記偏向手段にて偏向された光束を前記第１の同期検知光学素子と前記第２の同期検知光学素子を介して同期検知手段に導く同期検知光学系と、を有する走査光学装置において、
前記光源手段から出射された光束は、副走査断面内において前記偏向手段の回転軸に垂直な面に対し斜めに前記偏向手段の偏向面に入射しており、
前記第１の同期検知光学素子の光軸と前記第２の同期検知光学素子の光軸は異なっており、
主走査断面に投影した場合、前記同期検知手段に入射する光束が通過する前記第１の同期検知光学素子の光学面の法線と前記同期検知手段に入射する光束が通過する前記第２の同期検知光学素子の光学面の法線は、前記同期検知手段に入射する光束の主光線に対して互いに逆方向に傾いている構成としている。
【手続補正５】
【補正対象書類名】明細書
【補正対象項目名】００２７
【補正方法】削除
【補正の内容】
【手続補正６】
【補正対象書類名】明細書
【補正対象項目名】００２８
【補正方法】削除
【補正の内容】
【手続補正７】
【補正対象書類名】明細書
【補正対象項目名】００２９
【補正方法】削除
【補正の内容】
【手続補正８】
【補正対象書類名】明細書
【補正対象項目名】００３０
【補正方法】削除
【補正の内容】
【手続補正９】
【補正対象書類名】明細書
【補正対象項目名】００３１
【補正方法】削除
【補正の内容】
【手続補正１０】
【補正対象書類名】明細書
【補正対象項目名】００３２
【補正方法】削除
【補正の内容】